(57)【要約】  実用的かつ堅牢性のある光コネクタのロック機構を提供する。  第１の光コネクタと、第２の光コネクタと、第１のロック部材と、第２のロック部材を備える。第１の光コネクタは、電子機器に取り付けられており、いわゆるレセプタクルに対応する。第２の光コネクタは、光ケーブルの端部に取り付けられ、第１の光コネクタと嵌合可能とされており、いわゆるプラグに対応する。第１のロック部材は、電子機器の第１の光コネクタに対応した位置に、第２の光コネクタの第１の光コネクタとの嵌合を妨げないように取り付けられる。第２のロック部材は、光ケーブルの第２の光コネクタに対応した位置に、第２の光コネクタの第１の光コネクタとの嵌合を妨げないように取り付けられる。また、第２のロック部材は、第１の光コネクタと第１の光コネクタが嵌合された状態で第１のロック部材と嵌合可能とされている。
2018212267.tif 000002
【特許請求の範囲】
【請求項１】
電子機器に取り付けられた第１の光コネクタと、
光ケーブルの端部に取り付けられ、上記第１の光コネクタと嵌合可能とされた第２の光コネクタと、
上記電子機器の上記第１の光コネクタに対応した位置に上記第２の光コネクタの上記第１の光コネクタとの嵌合を妨げないように取り付けられた第１のロック部材と、
上記光ケーブルの上記第２の光コネクタに対応した位置に上記第２の光コネクタの上記第１の光コネクタとの嵌合を妨げないように取り付けられ、上記第１の光コネクタと上記第２の光コネクタが嵌合された状態で上記第１のロック部材と嵌合可能とされた第２のロック部材を備える
光コネクタシステム。
【請求項２】
上記第１の光コネクタと上記第２の光コネクタとの嵌合が行われるとき、上記第１の光コネクタの光学部は上記第２の光コネクタの光学部に接触された状態となり、
上記第１の光コネクタの光学部は、上記第２の光コネクタの光学部と接触した状態を保って一定範囲で移動可能とされている
請求項１に記載の光コネクタシステム。
【請求項３】
上記第１のロック部材と上記第２のロック部材とが嵌合されるとき、上記第１のロック部材のロック凸部が上記第２のロック部材のロック凹部に挿入され、該挿入状態は上記第２のロック部材の可動部により上記第１のロック部材のロック凸部が上記挿入方向に押圧されることで保持され、
上記光ケーブルの断面は楕円形状であり、
上記第２のロック部材は、上記可動部に上記押圧状態を保つための付勢力を与えるコイルバネを上記楕円の長辺に対応した両側位置に持つ
請求項１に記載の光コネクタシステム。
【請求項４】
光ケーブルの端部に取り付けられた光コネクタと、
上記光ケーブルの上記光コネクタに対応した位置に上記光ケーブルが貫通した状態で取り付けられたロック部材を備え、
上記光ケーブルの断面は楕円形状であり、
上記ロック部材は、
上記光ケーブルに固定する固定部と、
ロック状態を維持するための可動部と、
上記可動部に付勢力を与えるコイルバネを有し、
上記コイルバネは上記楕円の長辺に対応した両側に配置されている
光コネクタシステム。
【請求項５】
電子機器に取り付けられた光コネクタと、
上記電子機器の上記光コネクタに対応した位置に上記光コネクタを臨むことが可能に取り付けられたロック部材を備え、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を有する
光コネクタシステム。
【請求項６】
端部に光コネクタが取り付けられた光ケーブルの上記光コネクタに対応した位置に上記光ケーブルが貫通した状態で取り付けて使用するロック部材であって、
上記光ケーブルの断面は楕円形状であり、
上記光ケーブルに固定する固定部と、
ロック状態を維持するための可動部と、
上記可動部に付勢力を与えるコイルバネを備え、
上記コイルバネは上記楕円の長辺に対応した両側に配置されている
ロック部材。
【請求項７】
光コネクタが取り付けられた電子機器の上記光コネクタに対応した位置に上記光コネクタを臨むことが可能に取り付けて使用するロック部材であって、
上記光コネクタに嵌合される光コネクタが端部に取り付けられた光ケーブルの断面は楕円形状であり、
上記楕円の長辺に対応した両側位置にロック凸部を構成するバネ部材を備える
ロック部材。
【請求項８】
端部に光コネクタが取り付けられると共に、該光コネクタに対応した位置にケーブル本体が貫通した状態でロック部材が取り付けられ、
上記ケーブル本体の断面は楕円形状であり、
上記ロック部材は、
上記ケーブル本体に固定する固定部と、
ロック状態を維持するための可動部と、
上記可動部に付勢力を与えるコイルバネを備え、
上記コイルバネは上記楕円の長辺に対応した両側に配置されている
光ケーブル。
【請求項９】
筐体に光コネクタが取り付けられると共に、該筐体の上記光コネクタに対応した位置に上記光コネクタを臨むことが可能にロック部材が取り付けられ、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を備える
電子機器。
【発明の詳細な説明】
【技術分野】
【０００１】
本技術は、光データ伝送のための光コネクタシステム、電子機器、ケーブルおよびロック部材に関する。
【背景技術】
【０００２】
昨今の通信容量の急激な増大に伴い、今後は民生用機器にも光伝送が用いられることが想定される。民生機器間のデータ伝送に用いられるケーブルのコネクタ（プラグ）は、ユーザ保護のため、ユーザが間違ってケーブルに引っかかってもユーザに危害が及ばないように機器から抜去されるような構造になっている。【０００３】
一方、パーソナルコンピュータやサーバ等を含めた業務用機器では記録するデータや制御系データなどが頻繁に伝送されている。そのため、安易に機器間伝送が途切れると重要なデータの破損、もしくはシステムの制御が正常動作しなくなる可能性もあるため、伝送に用いるケーブルのコネクタはしっかりと機器に取り付け(ロック)される構造となっている。【０００４】
従って、民生機器用、業務機器用のケーブルのコネクタは用途によって別の構造となっており、同一規格のコネクタであっても用途別に購入する必要があった。一方で、情報機器の高度化により民生用機器と業務用機器との垣根が低くなってきており、用途によらず着脱性が良く堅牢性を持ったコネクタの実現が課題となっている。【０００５】
例えば、特許文献１には、光ファイバコネクタのロック機構を有するアダプタに対して後付け可能な、光ファイバコネクタをロックするロック部を有するアダプタカバーが記載されている。この場合、光ファイバコネクタをアダプタに嵌合した状態で、アダプタに対して取り付けられたアダプタカバーの内側についている弾性ロックアームの先端に設けられているロック突起により、光ファイバコネクタのコネクタハウジングに形成された肩部をロックする構造である。
【先行技術文献】
【特許文献】
【０００６】
【特許文献１】特開２０１３-１１４２２１号公報
【発明の概要】
【発明が解決しようとする課題】
【０００７】
特許文献１に記載のアダプタカバーの場合、このアダプタカバーをアダプタに対して後付けをして光ファイバコネクタをしっかりとロックするためには、上述したようなロック構造であることから、このアダプタカバーにはシビアな部品精度が要求されるものとなる。【０００８】
また、特許文献１に記載のアダプタカバーの場合、このアダプタカバーがアダプタに対して取り付けられた後には、光ファイバコネクタをアダプタに嵌合した状態では、この光ファイバコネクタがアダプタカバーで必ずロックされるものとなることから、ユーザが間違って光ファイバに引っかかったときに光ファイバコネクタがアダプタから抜去されるようにしたい場合には、アダプタカバーを取り外すことが必要となる。【０００９】
また、特許文献１に記載のアダプタカバーの場合、光ファイバコネクタをアダプタに嵌合した状態で光ファイバコネクタは抜去されないようにロックされるが、その後に光ファイバコネクタの抜去の必要性が生じた場合、そのロックを容易に解除し得る構造については手当されていない。【００１０】
本技術の目的は、実用的かつ堅牢性のある光コネクタのロック機構を提供することにある。
【課題を解決するための手段】
【００１１】
本技術の概念は、
電子機器に取り付けられた第１の光コネクタと、
光ケーブルの端部に取り付けられ、上記第１の光コネクタと嵌合可能とされた第２の光コネクタと、
上記電子機器の上記第１の光コネクタに対応した位置に上記第２の光コネクタの上記第１の光コネクタとの嵌合を妨げないように取り付けられた第１のロック部材と、
上記光ケーブルの上記第２の光コネクタに対応した位置に上記第２の光コネクタの上記第１の光コネクタとの嵌合を妨げないように取り付けられ、上記第１の光コネクタと上記第２の光コネクタが嵌合された状態で上記第１のロック部材と嵌合可能とされた第２のロック部材を備える
光コネクタシステムにある。【００１２】
本技術においては、第１の光コネクタと、第２の光コネクタと、第１のロック部材と、第２のロック部材を備えるものである。第１の光コネクタは、電子機器に取り付けられており、いわゆるレセプタクルに対応する。第２の光コネクタは、光ケーブルの端部に取り付けられ、第１の光コネクタと嵌合可能とされており、いわゆるプラグに対応する。【００１３】
第１のロック部材は、電子機器の第１の光コネクタに対応した位置に、第２の光コネクタの第１の光コネクタとの嵌合を妨げないように取り付けられる。また、第２のロック部材は、光ケーブルの第２の光コネクタに対応した位置に、第２の光コネクタの第１の光コネクタとの嵌合を妨げないように取り付けられる。また、第２のロック部材は、第１の光コネクタと第２の光コネクタが嵌合された状態で第１のロック部材と嵌合可能とされている。【００１４】
このように本技術においては、電子機器に第１のロック部材が取り付けられ、光ケーブルに第２のロック部材が取り付けられており、第１の光コネクタと第２の光コネクタが嵌合された状態で第１のロック部材と第２のロック部材が嵌合されるものである。そのため、光ケーブルの第２の光コネクタが電子機器の第１の光コネクタから不用意に抜去されることを防止できる。【００１５】
なお、本技術において、例えば、第１の光コネクタと第２の光コネクタとの嵌合が行われるとき、第１の光コネクタの光学部は第２の光コネクタの光学部に接触された状態となり、第１の光コネクタの光学部は、第２の光コネクタの光学部と接触した状態を保って一定範囲で移動可能とされている、ようにされてもよい。このように構成されることで、電子機器の第１のロック部材に嵌合する光ケーブルの第２のロック部材の取り付けを、ジグ等を用いて高精度で行わなくても済む。【００１６】
また、本技術において、例えば、第１のロック部材と第２のロック部材とが嵌合されるとき、第１のロック部材のロック凸部が第２のロック部材のロック凹部に挿入され、この挿入状態は第２のロック部材の可動部により第１のロック部材のロック凸部が挿入方向に押圧されることで保持され、光ケーブルの断面は楕円形状であり、第２のロック部材は、可動部に押圧状態を保つための付勢力を与えるコイルバネを楕円の長辺に対応した両側位置に持つ、ようにされてもよい。【００１７】
この場合、ユーザは、第２のロック部材の可動部をコイルバネによる付勢力に抗して移動させることで、この可動部が第１のロック部材のロック凸部を挿入方向に押圧している状態を解除でき、第１のロック部材と第２のロック部材の嵌合状態、つまりロック状態を容易に解除できる。また、第２のロック部材が可動部に押圧状態を保つための付勢力を与えるコイルバネをケーブルの断面の楕円形状の長辺に対応した両側位置に持つ構成とされることで、この第２のロック部材のコンパクト化が可能となる。【００１８】
また、本技術の他の概念は、
光ケーブルの端部に取り付けられた光コネクタと、
上記光ケーブルの上記光コネクタに対応した位置に上記光ケーブルが貫通した状態で取り付けられたロック部材を備え、
上記光ケーブルの断面は楕円形状であり、
上記ロック部材は、
上記光ケーブルに固定する固定部と、
ロック状態を維持するための可動部と、
上記可動部に付勢力を与えるコイルバネを有し、
上記コイルバネは上記楕円の長辺に対応した両側に配置されている
光コネクタシステムにある。【００１９】
本技術においては、光コネクタと、ロック部材を備えるものである。光コネクタは、光ケーブルの端部に取り付けられる。ロック部材は、光ケーブルの光コネクタに対応した位置に、光ケーブルが貫通した状態で取り付けられる。ここで、光ケーブルの断面は楕円形状である。そして、ロック部材は、光ケーブルに固定する固定部と、ロック状態を維持するための可動部と、この可動部に付勢力を与えるコイルバネを有する構造とされ、コイルバネは楕円の長辺に対応した両側に配置されている。【００２０】
このように本技術においては、光ケーブルの光コネクタに対応した位置に、光ケーブルが貫通した状態でロック部材が取り付けられるものである。電子機器の光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。【００２１】
また、本技術においては、光ケーブルの光コネクタに対応した位置に、光ケーブルが貫通した状態でロック部材が取り付けられるものである。そのため、この光ケーブルの光コネクタを、ロック部材を取り外すことなく、ロック部材の取り付けのない電子機器の光コネクタに嵌合させることも可能となる。【００２２】
また、本技術においては、ロック部材は、光ケーブルに固定する固定部と、ロック状態を維持するための可動部と、この可動部に付勢力を与えるコイルバネを有する構造とされ、コイルバネは光ケーブルの断面の楕円形状の長辺に対応した両側に配置されるものである。そのため、ユーザは可動部をコイルバネによる付勢力に抗して移動させることでロック状態を容易に解除でき、また、ロック部材のコンパクト化が可能となる。【００２３】
また、本技術の他の概念は、
電子機器に取り付けられた光コネクタと、
上記電子機器の上記光コネクタに対応した位置に上記光コネクタを臨むことが可能に取り付けられたロック部材を備え、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を有する
光コネクタシステムにある。【００２４】
本技術においては、光コネクタと、ロック部材を備えるものである。光コネクタは、電子機器に取り付けられる。ロック部材は、電子機器の光コネクタに対応した位置に、この光コネクタを望むことが可能に取り付けられる。ここで、光コネクタに嵌合される光コネクタが端部に取り付けられた光ケーブルの断面は楕円形状である。そして、ロック部材は、楕円の長辺に対応した両側位置にロック凸部を構成するバネ部材を有するものとされる。【００２５】
このように本技術においては、電子機器の光コネクタに対応した位置に、この光コネクタを望むことが可能にロック部材の取り付けがされたものである。光ケーブルの光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。【００２６】
また、本技術においては、光ケーブルの光コネクタに対応した位置に、この光コネクタを望むことが可能にロック部材の取り付けがされたものである、そのため、この電子機器の光コネクタを、ロック部材を取り外すことなく、ロック部材の取り付けのない光ケーブルの光コネクタに嵌合させることも可能となる。【００２７】
また、本技術の他の概念は、
端部に光コネクタが取り付けられた光ケーブルの上記光コネクタに対応した位置に上記光ケーブルが貫通した状態で取り付けて使用するロック部材であって、
上記光ケーブルの断面は楕円形状であり、
上記光ケーブルに固定する固定部と、
ロック状態を維持するための可動部と、
上記可動部に付勢力を与えるコイルバネを備え、
上記コイルバネは上記楕円の長辺に対応した両側に配置されている
ロック部材にある。【００２８】
本技術におけるロック部材は、端部に光コネクタが取り付けられた光ケーブルのその光コネクタに対応した位置に光ケーブルが貫通した状態で取り付けられて使用される。ここで、光ケーブルの断面は楕円形状である。このロック部材は、光ケーブルに固定する固定部と、ロック状態を維持するための可動部と、この可動部に付勢力を与えるコイルバネを有する構造とされ、コイルバネは楕円の長辺に対応した両側に配置されている。【００２９】
このように本技術のロック部材は、端部に光コネクタが取り付けられた光ケーブルのその光コネクタに対応した位置に光ケーブルが貫通した状態で取り付けられて使用されるものである。そのため、このロック部材を光ケーブルに取り付けることで、電子機器の光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。【００３０】
また、本技術のロック部材は、光ケーブルに固定する固定部と、ロック状態を維持するための可動部と、この可動部に付勢力を与えるコイルバネを有する構造とされ、コイルバネは光ケーブルの断面の楕円形状の長辺に対応した両側に配置されるものである。そのため、ユーザは可動部をコイルバネによる付勢力に抗して移動させることでロック状態を容易に解除でき、また、ロック部材のコンパクト化が可能となる。【００３１】
また、本技術の他の概念は。
光コネクタが取り付けられた電子機器の上記光コネクタに対応した位置に上記光コネクタを臨むことが可能に取り付けて使用するロック部材であって、
上記光コネクタに嵌合される光コネクタが端部に取り付けられた光ケーブルの断面は楕円形状であり、
上記楕円の長辺に対応した両側位置にロック凸部を構成するバネ部材を備える
ロック部材にある。【００３２】
本技術におけるロック部材は、光コネクタが取り付けられた電子機器のその光コネクタに対応した位置に光コネクタを臨むことが可能に取り付けて使用される。ここで、光コネクタに嵌合される光コネクタが端部に取り付けられた光ケーブルの断面は楕円形状である。そして、ロック部材は、楕円の長辺に対応した両側位置にロック凸部を構成するバネ部材を有するものとされる。【００３３】
このように本技術のロック部材は、光コネクタが取り付けられた電子機器のその光コネクタに対応した位置に光コネクタを臨むことが可能に取り付けて使用されるものである。そのため、このロック部材を電子機器に取り付けることで、光ケーブルの光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。【００３４】
また、本技術の他の概念は、
端部に光コネクタが取り付けられると共に、該光コネクタに対応した位置にケーブル本体が貫通した状態でロック部材が取り付けられ、
上記ケーブル本体の断面は楕円形状であり、
上記ロック部材は、
上記ケーブル本体に固定する固定部と、
ロック状態を維持するための可動部と、
上記可動部に付勢力を与えるコイルバネを備え、
上記コイルバネは上記楕円の長辺に対応した両側に配置されている
光ケーブルにある。【００３５】
本技術における光ケーブルは、端部に光コネクタが取り付けられ、この光コネクタに対応した位置にケーブル本体が貫通した状態でロック部材が取り付けられている。ここで、ケーブル本体の断面は楕円形状である。このロック部材は、ケーブル本体に固定する固定部と、ロック状態を維持するための可動部と、この可動部に付勢力を与えるコイルバネを備える構造とされ、コイルバネは楕円の長辺に対応した両側に配置されている。【００３６】
このように本技術の光ケーブルは、端部に光コネクタが取り付けられ、この光コネクタに対応した位置にケーブル本体が貫通した状態でロック部材が取り付けられている。そのため、電子機器の光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。【００３７】
また、本技術の光ケーブルは、ロック部材が、光ケーブルに固定する固定部と、ロック状態を維持するための可動部と、この可動部に付勢力を与えるコイルバネを有する構造とされ、コイルバネは光ケーブルの断面の楕円形状の長辺に対応した両側に配置されるものである。そのため、ユーザは可動部をコイルバネによる付勢力に抗して移動させることでロック状態を容易に解除でき、また、ロック部材のコンパクト化が可能となる。【００３８】
また、本技術の他の概念は、
筐体に光コネクタが取り付けられると共に、該筐体の上記光コネクタに対応した位置に上記光コネクタを臨むことが可能にロック部材が取り付けられ、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を備える
電子機器にある。【００３９】
本技術における電子機器は、筐体に光コネクタが取り付けられ、この筐体のこの光コネクタに対応した位置に、光コネクタを臨むことが可能に、ロック部材が取り付けられている。ここで、光コネクタに嵌合される光コネクタが端部に取り付けられた光ケーブルの断面は楕円形状である。そして、ロック部材は、楕円の長辺に対応した両側位置にロック凸部を構成するバネ部材を備えるものとされる。【００４０】
このように本技術における電子機器は、筐体に光コネクタが取り付けられ、筐体の光コネクタに対応した位置に光コネクタを臨むことが可能にロック部材が取り付けられている。そのため、光ケーブルの光コネクタに対応した位置にロック部材が取り付けられていれば、光ケーブルの光コネクタを電子機器の光コネクタに嵌合させた状態で、ロック部材同士を嵌合させることができ、光ケーブルの光コネクタが電子機器の光コネクタから不用意に抜去されることを防止できる。
【発明の効果】
【００４１】
本技術によれば、実用的かつ堅牢性のある光コネクタのロック機構を提供できる。本明細書に記載された効果はあくまで例示であって限定されるものではなく、また付加的な効果があってもよい。
【図面の簡単な説明】
【００４２】
【図１】実施の形態としての光コネクタシステムの構成例を示す図である。
【図２】ロック部材が取り付けられていない光コネクタシステムの構成例を示す図である。
【図３】電子機器に取り付けるロック部材の全体斜視図および分解斜視図である。
【図４】光ケーブルに取り付けるロック部材の全体斜視図および分解斜視図である。
【図５】光ケーブルに取り付けるロック部材の断面図である。
【図６】電子機器のロック部材と光ケーブルのロック部材との嵌合前の状態を示す図である。
【図７】電子機器のロック部材と光ケーブルのロック部材との嵌合中の状態を示す図である。
【図８】電子機器のロック部材と光ケーブルのロック部材との嵌合後の状態を示す図である。
【図９】電子機器のレセプタクル（光コネクタ）と、光ケーブルのプラグ（光コネクタ）の構成の一例を概略的に示す図である。
【図１０】レセプタクルにプラグが挿入されて嵌合が行われる場合の各状態およびレセプタクルからプラグが抜去されて嵌合解除が行われる場合の各状態を説明するための図である。
【図１１】光コネクタシステムの他の構成例を示す図である。
【発明を実施するための形態】
【００４３】
以下、発明を実施するための形態（以下、「実施の形態」とする）について説明する。なお、説明は以下の順序で行う。
１．実施の形態
２．変形例
【００４４】
＜１．実施の形態＞
［光コネクタシステムの構成］
図１は、実施の形態としての光コネクタシステム１０の構成例を示している。この光コネクタシステム１０は、電子機器１００と光ケーブル２００を光学的に接続する。電子機器１００の筐体１０１に、光コネクタとしてのレセプタクル１０２が取り付けられている。
【００４５】
また、この筐体１０１のレセプタクル１０２に対応した位置に、このレセプタクル１０２を臨むことが可能に、ロック部材１０３が取り付けられている。図示の例では、ロック部材１０３は、筐体１０１にネジ止めされているが、接着されてもよい。
【００４６】
図２（ａ）は、筐体１０１にロック部材１０３が取り付けられていない状態の電子機器１００Ｂを示している。図１に示す電子機器１００は、この状態の電子機器１００Ｂに、ロック部材１０３が後付けされたものである。
【００４７】
図１に戻って、光ケーブル２００のケーブル本体２０１の端部に光コネクタとしてのプラグ２０２が取り付けられている。また、このケーブル本体２０１のプラグ２０２に対応した位置に、ケーブル本体２０１が貫通した状態で、ロック部材２０３が取り付けられている。
【００４８】
図２（ｂ）は、ケーブル本体２０１にロック部材２０３が取り付けられていない状態の光ケーブル２００Ｂを示している。図１に示す光ケーブル２００は、この状態の光ケーブル２００Ｂに、ロック部材２０３が後付けされたものである。
【００４９】
図３（ａ）は、電子機器１００のロック部材１０３の全体斜視図を示している。図３（ｂ）は、ロック部材１０３の分解斜視図を示している。ロック部材１０３は、本体部１３１と、バネ部材１３２とからなっている。本体部１３１は、基部１３１ａと楕円筒部１３１ｂを有している。基部１３１ａは、中央にレセプタクル１０２の開口部形状に合わせた楕円形状の開口部１３１ｃを持つと共に、４角にネジ止め用の穴１３１ｄを持っている。
【００５０】
楕円筒部１３１ｂは、基部１３１ａの開口部１３１ｃに対応した位置から植立されている。この楕円筒部１３１ｂの内部の開口部１３１ｃ側にはバネ部材１３２を嵌め込むための溝部１３１ｅが全周に渡って形成されている。また、この楕円筒部１３１ｂの楕円の長辺に対応した両側に、バネ部材１３２が持つ円筒状のロック凸部１３２ａを位置させるための開口部１３１ｆが形成されている。
【００５１】
バネ部材１３２は、全体として楕円のリング状に形成されており、楕円の長辺に対応した両側に、円筒状のロック凸部１３２ａが設けられている。このバネ部材１３２を楕円筒部１３１ｂの内部に形成された溝部１３１ｅに嵌め込んだ状態では、円筒状のロック凸部１３２ａの一部が楕円筒部１３１ｂの側面から内側および外側にはみ出た状態にあり、その状態が弾性力により保持されている。
【００５２】
図４（ａ）は、光ケーブル２００のロック部材２０３の全体斜視図を示している。図４（ｂ）は、ロック部材２０３の分解斜視図を示している。ロック部材２０３は、可動部を構成するスライダ２３１と、この可動部２３１に付勢力を与えるコイルバネ２３２と、ケーブル本体２０１に固定されるグリップ２３３と、スライダ２３１をグリップ２３３に移動可能に取り付けるためのシャフトネジ２３４と、グリップ２３３とケーブル本体２０１との間に配置され、グリップ２３３をケーブル本体２０１に固定するためのガスケット２３５およびスリーブ２３６からなっている。
【００５３】
ロック部材２０３は、ケーブル本体２０１の断面の楕円形状に合わせて、断面がほぼ楕円形状となるように形成されている。この場合、コイルバネ２３２はその楕円形状の長辺に対応した両側に配置され、これによりロック部材２０３のコンパクト化が図られている。グリップ２３３の細径側の外面の楕円形状の長辺に対応した両側にロック凹部２３３ａが設けられている。
【００５４】
図５は、ロック部材２０３を楕円形状の長辺方向に切断した断面を示している。理解を容易とするために、この図５において、図４（ｂ）に示す各部と対応する部分には、同一符号を付して示している。例えば、グリップ２３３とスリーブ２３６が接着され、さらにスリーブ２３６がケーブル本体２０１に接着される。これにより、ロック部材２０３がケーブル本体２０１（光ケーブル２００）に固定される。スライダ２３１は、コイルバネ２３２の付勢力により、常には図示の位置に保持される。そして、スライダ２３１は、コイルバネ２３２の付勢力に抗して、図面において右側に移動可能となっている。なお、スリーブ２３６は、必ずしも必要ではなく、グリップ２３３を直接ケーブル本体２０１に固定することも考えられる。また、固定方法は接着に限定されるものではなく、その他の方法によってもよい。また、着脱自在に固定することも考えられる。
【００５５】
図１に示す光コネクタシステム１０において、ユーザが、光ケーブル２００のロック部材２０３におけるグリップ２３３を持った状態で、光ケーブル２００のプラグ２０２を電子機器１００のロック部材１０３の楕円筒部１３１ｂの内部を通してレセプタクル１０２に挿入していくことで、プラグ２０２とレセプタクル１０２を嵌合させることができる。そして、この嵌合状態において、光ケーブル２００のロック部材２０３と電子機器１００のロック部材１０３が嵌合されてロック状態となる。
【００５６】
図６は、電子機器１００のロック部材１０３と光ケーブル２００のロック部材２０３との嵌合前の状態を示している。図７は、電子機器１００のロック部材１０３と光ケーブル２００のロック部材２０３との嵌合中の状態を示している。この嵌合中の状態では、グリップ２３３の前端部分２３３ｂで押圧されてロック凸部１３２ａが外側に移動した状態となっている。そして、このように外側に移動したロック凸部１３２ａの存在により、プラグ２０２を挿入していった場合、スライダ２３１はコイルバネ２３２の付勢力に抗して、挿入方向とは反対の方向に移動していく。
【００５７】
図８は、図７の状態からプラグ２０２の挿入をさらに進めていったときの、電子機器１００のロック部材１０３と光ケーブル２００のロック部材２０３との嵌合後の状態を示している。この嵌合後の状態では、ロック凸部１３２ａがグリップ２３３のロック凹部２３３ａに挿入されて嵌合され、ロック状態となる。そして、この状態では、ロック凸部１３２ａの外側に移動した状態が解除され、スライダ２３１は、コイルバネ２３２の付勢力により、図示のように常の位置に戻る。この場合、ロック凸部１３２ａは、スライダ２３１によりロック凹部２３３ａへの挿入方向に押圧された状態となるので、ロック状態が安定して保持される。
【００５８】
このロック状態の解除は、ユーザが、光ケーブル２００のロック部材２０３におけるスライダ２３１を持った状態で、当該スライダ２３１をコイルバネ２３２の付勢力に抗して上述の挿入方向とは反対の方向に移動させていくことで、実現される。この場合、図示は省略するが、スライダ２３１の移動により、このスライダ２３１がロック凸部１３２ａをロック凹部２３３ａ側に押圧している状態を解除でき、ロック状態が解除されて、抜去が可能となる。
【００５９】
この実施の形態においては、電子機器１００のレセプタクル１０２と光ケーブル２００のプラグ２０２の嵌合が行われるとき、プラグ２０２の光学部がレセプタクル１０２の光学部に接触された状態となるが、レセプタクル１０２の光学部は、プラグ２０２の光学部と接触した状態を保って一定範囲で移動可能に構成されている（フローティング構造）。
【００６０】
図９（ａ）は、電子機器１００のレセプタクル（光コネクタ）１０２の構成の一例を、ロック部材１０３と共に、概略的に示している。また、図９（ｂ）は、光ケーブルのプラグ（光コネクタ）２０２の構成の一例を、ロック部材２０３と共に、概略的に示している。なお、図９（ａ），（ｂ）に示す構成はあくまでも一例であり、レセプタクル１０２およびプラグ２０２の構成が図示の例に限定されるものではない。
【００６１】
図９（ｂ）に示す光ケーブル２００のプラグ２０２について説明する。プラグ２０２は、挿入側の中央に開口２５２を持つ本体部２５１を有している。この本体部２５１に、開口２５２の底面に端面が覗くように、光学部２５０が設けられている。また、この本体部２５１の外周面には、ロック機構を構成するロック孔２５３が設けられている。
【００６２】
図９（ａ）に示すレセプタクル１０２について説明する。レセプタクル１０２は、プラグ２０２側に開口１５２を持つ本体部１５１を有している。本体部１５１のプラグ２０２の光学部２５０に対応した位置に、光学部１５０が設けられている。すなわち、開口１５２の底面中央から端部が突出するように、光学部１５０が設けられている。また、この開口１５２の側面にその一部が突出するように、ロック機構を構成する山折状態のばね部材からなるロック部１５４が設けられている。
【００６３】
この光学部１５０は、矢印方向に移動可能に設けられている。この光学部１５０のプラグ２０２側とは反対の側に、付勢部を構成するコイル状のバネ部材１５３が設けられている。光学部１５０は、光コネクタ２０２の挿入のない状態では、ばね部材１５３で付勢され、図示の位置に配置される。
【００６４】
図１０を参照して、レセプタクル１０２にプラグ２０２が挿入されて嵌合が行われる場合の各状態、さらにはレセプタクル１０２からプラグ２０２が抜去されて嵌合解除が行われる場合の各状態を説明する。
【００６５】
図１０（ａ）は、ユーザ操作により、レセプタクル１０２の開口１５２へのプラグ２０２の本体部２５１の挿入が開始された状態を示している。図１０（ｂ）は、レセプタクル１０２の開口１５２へのプラグ２０２の挿入がさらに進み、レセプタクル１０２の光学部１５０がプラグ２０２の光学部２５０と接触を開始した状態を示している。
【００６６】
図１０（ｃ）は、ばね部材１５３の付勢力に抗して、レセプタクル１０２の開口１５２へのプラグ２０２の本体部２５１の挿入がさらに進み、レセプタクル１０２の開口１５２へのプラグ２０２の本体部２５１の挿入が完了した嵌合状態を示している。この状態では、ロック部材１５４がロック孔２５３に挿入され、ばね部材１５３の付勢力により、この嵌合状態が保持される。なお、図示の例では、この嵌合状態において、電子機器１００のロック部材１０３と光ケーブル２００のロック部材２０３も嵌合され、ロック状態となる。
【００６７】
図１０（ｃ）に示す嵌合状態から、ユーザがロック部材１０３とロック部材２０３との嵌合を解除し、レセプタクル１０２の開口１５２からプラグ２０２を抜く方向に操作することで、ロック部材１５４がロック孔２５３に挿入されていることによるロック状態も解除される。
【００６８】
このようにロック状態が解除されることで、レセプタクル１０２の光学部１５０はばね部材１５３の付勢力によって移動し、図１０（ｄ）の状態まで移動する。図１０（ｅ）は、図１０（ｄ）の状態から、ユーザがレセプタクル１０２よりプラグ２０２をさらに引き抜く方向に操作した状態を示している。この状態では、レセプタクル１０２の光学部１５０とプラグ２０２の光学部２５０とは非接触の状態となる。
【００６９】
このようにレセプタクル１０２の光学部１５０は、プラグ２０２の光学部２５０と接触した状態を保って一定範囲Ｗで移動可能に構成されている（フローティング構造）。そのため、上述では図１０（ｃ）に示す嵌合状態において電子機器１００のロック部材１０３に光ケーブル２００のロック部材２０３が嵌合してロック状態となる旨の説明をしたが、レセプタクル１０２の光学部１５０がプラグ２０２の光学部２５０と接触した状態を保っている一定範囲Ｗにあれば、どの位置でロック部材１０３にロック部材２０３が嵌合してロック状態とされてもよい。
【００７０】
すなわち、レセプタクル１０２の光学部１５０がプラグ２０２の光学部２５０と接触した状態を保って一定範囲Ｗで移動可能に構成されていることで、ケーブル本体２０１へのロック部材２０３の取り付け位置精度が緩和される。そのため、ジグ等を用いて高精度に取り付ける必要がなく、一般ユーザでも取り付けを容易に行い得る。
【００７１】
上述したように、図１に示す光コネクタシステム１０において、電子機器１００にレセプタクル１０２に対応してロック部材１０３が取り付けられており、光ケーブル２００にプラグ２０２に対応してロック部材２０３が取り付けられており、レセプタクル１０２とプラグ２０２が嵌合された状態でロック部材１０３とロック部材２０３が嵌合される。そのため、光ケーブル２００のプラグ２０２が電子機器１００のレセプタクル１０２からら不用意に抜去されることを防止できる。
【００７２】
また、図１に示す光コネクタシステム１０において、電子機器１００のレセプタクル１０２と光ケーブル２００のプラグ２０２の嵌合が行われるとき、レセプタクル１０２の光学部１５０は、プラグ２０２の光学部２５０に接触された状態となり、その状態を保って一定範囲Ｗで移動可能とされている。そのため、光ケーブル２００へのロック部材２０３の取り付け位置精度を緩和でき、従ってジグ等を用いて高精度に取り付ける必要がなく、一般ユーザでも取り付けを容易に行い得る。
【００７３】
また、図１に示す光コネクタシステム１０において、光ケーブル２００に取り付けられるロック部材２０３の断面形状が光ケーブル２００の断面形状と同様にほぼ楕円形状とされ、スライダ２３１に付勢力を与えるコイルバネ２３２がその楕円形状の長辺に対応した両側位置に配置された構成とされる。そのため、このロック部材２０３のコンパクト化が可能となる。
【００７４】
＜２．変形例＞
なお、図１に示す光コネクタシステム１０では、電子機器１００および光ケーブル２００の双方にロック部材が取り付けられている。しかし、いずれか一方のみにロック部材が取り付けられた状態であっても、電子機器１００のレセプタクル１０２に光ケーブル２００のプラグ２０２を嵌合させて光伝送を行うことができる。
【００７５】
これは、電子機器１００に取り付けられるロック部材１０３はレセプタクル１０２を臨むことが可能に取り付けられ、また、光ケーブル２００に取り付けられるロック部材２０３は光ケーブル２００が貫通した状態で取り付けられるためである。
【００７６】
例えば、図１１（ａ）は、ロック部材１０３が取り付けられた電子機器１００と、ロック部材２０３が取り付けられていない光ケーブル２００Ｂとを組み合わせた光コネクタシステム１０Ａを示し、図１１（ｂ）は、ロック部材１０３が取り付けられていない電子機器１００Ｂと、ロック部材２０３が取り付けられた光ケーブル２００とを組み合わせた光コネクタシステム１０Ｂを示している。
【００７７】
また、本技術は、以下のような構成をとることもできる。
（１）電子機器に取り付けられた第１の光コネクタと、
光ケーブルの端部に取り付けられ、上記第１の光コネクタと嵌合可能とされた第２の光コネクタと、
上記電子機器の上記第１の光コネクタに対応した位置に上記第２の光コネクタの上記第１の光コネクタとの嵌合を妨げないように取り付けられた第１のロック部材と、
上記光ケーブルの上記第２の光コネクタに対応した位置に上記第２の光コネクタの上記第１の光コネクタとの嵌合を妨げないように取り付けられ、上記第１の光コネクタと上記第２の光コネクタが嵌合された状態で上記第１のロック部材と嵌合可能とされた第２のロック部材を備える
光コネクタシステム。
（２）上記第１の光コネクタと上記第２の光コネクタとの嵌合が行われるとき、上記第１の光コネクタの光学部は上記第２の光コネクタの光学部に接触された状態となり、
上記第１の光コネクタの光学部は、上記第２の光コネクタの光学部と接触した状態を保って一定範囲で移動可能とされている
前記（１）に記載の光コネクタシステム。
（３）上記第１のロック部材と上記第２のロック部材とが嵌合されるとき、上記第１のロック部材のロック凸部が上記第２のロック部材のロック凹部に挿入され、該挿入状態は上記第２のロック部材の可動部により上記第１のロック部材のロック凸部が上記挿入方向に押圧されることで保持され、
上記光ケーブルの断面は楕円形状であり、
上記第２のロック部材は、上記可動部に上記押圧状態を保つための付勢力を与えるコイルバネを上記楕円の長辺に対応した両側位置に持つ
前記（１）または（２）に記載の光コネクタシステム。
（４）光ケーブルの端部に取り付けられた光コネクタと、
上記光ケーブルの上記光コネクタに対応した位置に上記光ケーブルが貫通した状態で取り付けられたロック部材を備え、
上記光ケーブルの断面は楕円形状であり、
上記ロック部材は、
上記光ケーブルに固定する固定部と、
ロック状態を維持するための可動部と、
上記可動部に付勢力を与えるコイルバネを有し、
上記コイルバネは上記楕円の長辺に対応した両側に配置されている
光コネクタシステム。
（５）電子機器に取り付けられた光コネクタと、
上記電子機器の上記光コネクタに対応した位置に上記光コネクタを臨むことが可能に取り付けられたロック部材を備え、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を有する
光コネクタシステム。
（６）端部に光コネクタが取り付けられた光ケーブルの上記光コネクタに対応した位置に上記光ケーブルが貫通した状態で取り付けて使用するロック部材であって、
上記光ケーブルの断面は楕円形状であり、
上記光ケーブルに固定する固定部と、
ロック状態を維持するための可動部と、
上記可動部に付勢力を与えるコイルバネを備え、
上記コイルバネは上記楕円の長辺に対応した両側に配置されている
ロック部材。
（７）光コネクタが取り付けられた電子機器の上記光コネクタに対応した位置に上記光コネクタを臨むことが可能に取り付けて使用するロック部材であって、
上記光コネクタに嵌合される光コネクタが端部に取り付けられた光ケーブルの断面は楕円形状であり、
上記楕円の長辺に対応した両側位置にロック凸部を構成するバネ部材を備える
ロック部材。
（８）端部に光コネクタが取り付けられると共に、該光コネクタに対応した位置にケーブル本体が貫通した状態でロック部材が取り付けられ、
上記ケーブル本体の断面は楕円形状であり、
上記ロック部材は、
上記ケーブル本体に固定する固定部と、
ロック状態を維持するための可動部と、
上記可動部に付勢力を与えるコイルバネを備え、
上記コイルバネは上記楕円の長辺に対応した両側に配置されている
光ケーブル。
（９）筐体に光コネクタが取り付けられると共に、該筐体の上記光コネクタに対応した位置に上記光コネクタを臨むことが可能にロック部材が取り付けられ、
上記光コネクタに嵌合される光コネクタが端部に取り付けられた光ケーブルの断面は楕円形状であり、
上記ロック部材は、
上記楕円の長辺に対応した両側位置にロック凸部を構成するバネ部材を備える
電子機器。
【符号の説明】
【００７８】
１０，１０Ａ，１０Ｂ・・・光コネクタシステム
１００，１００Ｂ・・・電子機器
１０１・・・筐体
１０２・・・レセプタクル（光コネクタ）
１０３・・・ロック部材
１３１・・・本体部
１３１ａ・・・基部
１３１ｂ・・・楕円筒部
１３１ｃ・・・開口部
１３１ｄ・・・ネジ止め用の穴
１３１ｅ・・・溝部
１３１ｆ・・・開口部
１３２・・・バネ部材
１３２ａ・・・ロック凸部
１５０・・・光学部
１５１・・・本体部
１５２・・・開口
１５３・・・コイル状のバネ部材
１５４・・・ロック部
２００，２００Ｂ・・・光ケーブル
２０１・・・ケーブル本体
２０２・・・プラグ（光コネクタ）
２０３・・・ロック部材
２３１・・・スライダ
２３２・・・コイルバネ
２３３・・・グリップ
２３３ａ・・・ロック凹部
２３３ｂ・・・先端部
２３４・・・シャフトネジ
２３５・・・ガスケット
２３６・・・スリーブ
２５０・・・光学部
２５１・・・本体部
２５２・・・開口
２５３・・・ロック孔
【図１】
2018212267.tif 000003
【図２】
2018212267.tif 000004
【図３】
2018212267.tif 000005
【図４】
2018212267.tif 000006
【図５】
2018212267.tif 000007
【図６】
2018212267.tif 000008
【図７】
2018212267.tif 000009
【図８】
2018212267.tif 000010
【図９】
2018212267.tif 000011
【図１０】
2018212267.tif 000012
【図１１】
2018212267.tif 000013
【国際調査報告】
2018212267.tif 000014
2018212267.tif 000015
2018212267.tif 000016
2018212267.tif 000017